(57)【特許請求の範囲】
【請求項１】
公衆通信回線を経由して消防隊や救急隊の出動要請を受付け、該当出動隊を編成して出動指令を出すことを目的として、
複数の前記出動要請を送受信する電話手段と、受付データを入力すると共に出動操作入力を行う操作手段と、前記出動隊に出動指令を出す出動指令装置と、前記出動指令を表示する自動出動制御表示装置と、検索出力された地図データを表示する地図検索表示装置とを有する出動指令台と、
構内通信回線と、
前記出動指令台に設置もしくは接続され、地図検索ＤＢ（データベース）手段に登録している出動地点の地図データを検索する地図検索装置と、地図上に行政区画や地番などのポリゴン（多角形）データを記憶しているポリゴンデータ記憶手段とポリゴン毎の火災や救急などに対応した出動車両や出動種別人員などの出動レベルを定義するポリゴン属性データを記憶しているポリゴン属性データ記憶手段と前記ポリゴン属性データに基づいて出動車両や出動人員などの具体的な出動隊を編成する火災編成ＤＢや救急編成ＤＢなど出動隊編成データを記憶している出動隊編成ＤＢ手段とを有するデータベースサーバ（以下  ＤＢＳと略称する）と、電話番号、地番、目標物などの前記受付データに基づいて出動地点を抽出する出動地点抽出手段と抽出された前記出動地点を含むポリゴンデータ及びポリゴン属性データより対応する出動隊を編成する出動隊編成手段と該当出動隊に出動指令を出す出動指令手段とを有する出動隊編成装置と、外部通信回線を経由して署所端末装置や車載端末装置に前記出動隊の出動指令制御を行う出動指令制御装置と、前記自動出動制御表示装置及び地図検索表示装置などの表示データの表示管理を行う表示管理装置とで構成する出動隊編成システムを用いて、
前記公衆通信回線を経由した通報者からの出動隊の出動要請を受付け、事案内容と発生場所などの受付データを前記操作手段より一次入力する段階と、前記地図検索装置が、前記一次入力された受付データに基づいて事案発生場所の周辺地図データを検索し前記地図検索表示装置に表示出力する段階と、前記出動隊編成装置の出動地点抽出手段が、表示出力された地図データと追加受付データを参照して、発生地点を特定すると共に発生事案および出動要請を確認する段階と、前記出動隊編成手段が、前記ＤＢＳのポリゴンデータ記憶手段より該当ポリゴンデータを検索出力し、前記地図検索表示装置に重畳表示すると共にポリゴン属性データを検索出力する段階と、選択されたポリゴン属性データに基づいて、前記ＤＢＳの出動隊編成ＤＢより該当出動ＤＢを読出し、仮の出動隊編成データを生成する段階と、前記出動指令手段が、選択された出動隊編成データに基づいて該当する出動隊の出動指令データを生成し、出動操作入力が成されると前記出動指令制御装置に該出動指令データを送出する段階とで構成することを特徴とするポリゴン利用の出動隊編成方法。
【請求項２】
前記ポリゴンの種別を、住宅地、商業地、森林、原野、河川、山岳地帯、海岸などの用途別ポリゴンとする、土砂災害、地震災害などに対応した避難対象地域を示す避難対象ポリゴンとする、堤防決壊、集中豪雨、高潮などに伴う水害予測地域を示す水害予測ポリゴンとする、地震災害、土砂災害、大規模火災などに伴う被災予測地域を示す被災予測ポリゴンとする、もしくは、自治体が作成する防災計画に基づく防災地図の区画をポリゴンとする防災計画ポリゴンとすることを特徴とする請求項１に記載のポリゴン利用の出動隊編成方法。
【請求項３】
前記ポリゴン属性データを、地震災害、大規模火災、土砂災害など災害種別毎に、出動車両、出動隊などの構成を表す災害属性データとする、地震災害救難、火災救難、土砂災害救難、遭難救難など救難種別毎に対応した出動車両、出動隊などの構成を表す救難属性データとする、交通事故、爆発事故、火災事故など事故種別毎に対応した出動車両、出動隊などの構成を表す事故属性データとする、もしくは、強盗、人身拉致、騒乱など犯罪種別毎に対応した出動車両、出動隊などの構成を表す犯罪属性データとすることを特徴とする請求項１に記載のポリゴン利用の出動隊編成方法。
【請求項４】
前記出動地点抽出手段を、通報者の携帯電話からのＧＰＳ（Global Positioning System ）データを受信して位置情報とし出動地点を抽出すること特徴とする請求項１に記載のポリゴン利用の出動隊編成方法。
【請求項５】
前記出動地点抽出手段を、登録地点からの徒歩による所要時間もしくは車の所要時間に基づく距離演算、または概算距離などの距離演算により出動地点を抽出すること特徴とする請求項１に記載のポリゴン利用の出動隊編成方法。
【請求項６】
前記出動地点抽出手段を、通報地点周辺の周辺地形データと方角データとの組合せ演算を行う地形演算により出動地点を抽出すること特徴とする請求項１に記載のポリゴン利用の出動隊編成方法。
【請求項７】
前記出動地点抽出手段を、登録地点から方角データと地形データとの組合せ演算を行うＡＩ演算により出動地点を抽出すること特徴とする請求項１に記載のポリゴン利用の出動隊編成方法。
【請求項８】
公衆通信回線を経由して消防隊や救急隊の出動要請を受付け、該当出動隊を編成して出動指令を出すことを目的として、
複数の前記出動要請を送受信する電話手段と、受付データを入力すると共に出動操作入力を行う操作手段と、前記出動隊に出動指令を出す出動指令装置と、前記出動指令を選択表示する自動出動選択部並びに自動出動制御表示装置と、検索出力された地図データを表示する地図検索表示装置とを有する出動指令台と、
構内通信回線と、
以下、前記出動指令台に設置もしくは接続され、経緯度地図データを記憶している経緯度ＤＢ（データベース）と地形地図データを記憶している地形ＤＢと道路データを記憶している道路ＤＢと住宅地図データを記憶している住宅ＤＢと特定の登録点の地図データを記憶している登録点ＤＢとを有する地図検索ＤＢ手段より、出動地点の地図データを検索出力する地図検索装置と、
地図上に行政区画毎のポリゴンデータ（多角形頂点座標）を記憶している行政区ポリゴンと地番毎のポリゴンデータを記憶している地番ポリゴンなどを有するポリゴンデータ記憶手段と、ポリゴン毎に火災出動に対応した出動車両や出動種別人員などの出動レベルを定義する火災属性データと同じく救急出動に対応した出動車両や出動種別人員などの出動レベルを定義する救急属性データとを有するポリゴン属性データ記憶手段と、前記火災属性データに基づいて具体的な車両や人員構成などの出動隊を編成する火災出動隊データを記憶している火災編成ＤＢと前記救急属性データに基づいて同じく救急出動隊データを記憶している救急編成ＤＢとを有する出動隊編成ＤＢ手段と、構内通信回線との通信接続制御を行う通信制御部と、前記ポリゴンデータ記憶手段、ポリゴン属性データ記憶手段および出動隊編成ＤＢ手段のＲ／Ｗ（Read/Write）制御を行うＲ／Ｗ制御部から成るデータベースサーバ（以下  ＤＢＳと略称する）と、
受付電話番号に基づいて出動地点の地図データを抽出する電話番号読出部と地番や目標物などの前記受付データに基づいて出動地点の地図データを抽出する目標物抽出部とを有する出動地点抽出手段と、前記受付データに基づいて出動種別を選択する出動種別選択部と前記出動地点抽出手段が抽出した複数の出動地点の地図データより出動地点を選択する出動先選択部と前記出動先選択部が選択した地図データと出動種別選択部が選択した出動種別データに基づいて該当するポリゴンデータをＤＢＳのポリゴンデータ記憶手段より選択出力するポリゴン選択部と前記選択出力されたポリゴンデータに対応したポリゴン属性データをポリゴン属性データ記憶手段より選択出力するポリゴン属性データ選択部と前記選択出力されたポリゴン属性データに基づいて出動隊編成ＤＢ手段より出動隊編成ＤＢを読出すと共に対応する出動隊編成データを抽出する編成データ抽出部とを有する出動隊編成手段と、抽出された出動隊編成データに基づいて該当する出動隊の出動指令を生成する出動指令生成部と出動地点の地図や出動指示書などの添付資料を生成する添付資料生成部と前記添付資料を添えた出動指令を送信する出動指令送信部とを有する出動隊編成装置と、
前記出動指令送信部が送信した出動指令を、外部通信回線を経由して署所に設置された署所端末装置や出動車両に設置された車載端末装置への指令制御を行う出動指令制御装置と、
前記自動出動制御表示装置及び地図検索表示装置などの表示データの表示管理を行う表示管理装置とで構成することを特徴とするポリゴン利用の出動隊編成システム。
【請求項９】
前記ＤＢＳのポリゴンデータ記憶手段に、住宅地、商業地、森林、原野、河川、山岳地帯、海岸などの用途別ポリゴンを追加設置することを特徴とする請求項８に記載のポリゴン利用の出動隊編成システム。
【請求項１０】
前記ＤＢＳのポリゴンデータ記憶手段に、土砂災害、地震災害などに対応したい避難対象地域を示す避難対象ポリゴンを追加設置することを特徴とする請求項８に記載のポリゴン利用の出動隊編成システム。
【請求項１１】
前記ＤＢＳのポリゴンデータ記憶手段に、堤防決壊、集中豪雨、高潮などに伴う水害予測地域を示す水害予測ポリゴンを追加設置することを特徴とする請求項８に記載のポリゴン利用の出動隊編成システム。
【請求項１２】
前記ＤＢＳのポリゴンデータ記憶手段に、地震災害、土砂災害、大規模火災などに伴う被災予測地域を示す被災予測ポリゴンを追加設置することを特徴とする請求項８に記載のポリゴン利用の出動隊編成システム。
【請求項１３】
前記ＤＢＳのポリゴンデータ記憶手段に、自治体が作成する防災計画に基づく防災地図の区画をポリゴンとする防災計画ポリゴンを追加設置することを特徴とする請求項８に記載のポリゴン利用の出動隊編成システム。
【請求項１４】
前記ＤＢＳの出動隊編成ＤＢ手段に、災害種別毎・該当地域別に災害出動編成に可能な車両や出動人員のＤＢを記憶する災害編成ＤＢを追加設置することを特徴とする請求項８に記載のポリゴン利用の出動隊編成システム。
【請求項１５】
前記ＤＢＳの出動隊編成ＤＢ手段に、救難種別毎・該当地域別に救難出動編成に可能な車両や出動人員のＤＢを記憶する救難編成ＤＢを追加設置することを特徴とする請求項８に記載のポリゴン利用の出動隊編成システム。
【請求項１６】
前記ＤＢＳの出動隊編成ＤＢ手段に、出動車両の署所毎の保有、出動ステータスなどの出動車両のＤＢを記憶する出動車両編成ＤＢを追加設置することを特徴とする請求項８に記載のポリゴン利用の出動隊編成システム。
【請求項１７】
前記ＤＢＳの出動隊編成ＤＢ手段に、出動隊の署所毎・資格毎の保有人員などのＤＢを記憶する出動隊編成ＤＢを追加設置することを特徴とする請求項８に記載のポリゴン利用の出動隊編成システム。
【請求項１８】
前記ＤＢＳの出動隊編成ＤＢ手段に、出動隊員の勤怠管理データを管理記憶する勤怠管理ＤＢを追加設置することを特徴とする請求項８に記載のポリゴン利用の出動隊編成システム。
【請求項１９】
前記出動隊編成装置の出動隊編成手段に、前記受付データに基づく出動隊種別に加え、関連する出動隊種別の補正や追加が選択可能な関連種別選択部を追加設置することを特徴とする請求項８に記載のポリゴン利用の出動隊編成システム。
【発明の詳細な説明】
【０００１】
【発明の属する技術分野】
本発明は、公衆通信回線を経由して消防隊や救急隊の出動要請を受付け、該当出動隊を編成して出動指令を出す出動隊編成システムに関わり、より詳細にはポリゴンを地図データに重畳すると共に出動隊に関するポリゴン属性データをリンクし、受付データに基づいて出動隊を容易に編成するポリゴン利用の出動隊編成システムに係わる。
【０００２】
【従来の技術】
従来の技術による、公衆通信回線を経由して消防隊や救急隊の出動要請を受付け該当出動隊を編成して出動指令を出す出動隊編成システムでは、住所データベースを検索して出動地点及び出動隊編成情報を取得して、出動指令を出している。住所データの無い地点では地図検索および出動隊編成情報が得られないため、細かく住所データを作成したり、山岳地帯、原野、森林地帯など住所の無い地点では仮の住所を作るなどして対応している。
出動隊の編成は、別の出動隊編成データを参照しながら、担当者が手作業で編成する必要があり、輻輳する出動指令現場では業務遂行を妨げると云う問題もある。
概略的な発生地点や事案内容の受付データに基づき、出動地点を容易に検索すると共に自動的に出動隊編成データを生成する出動隊編成システムが求められている。
【０００３】
【発明が解決しようとする課題】
本発明は、以上に説明した問題点と課題に鑑み、住所のない地点でも地図上の出動地点を容易に抽出すると共に出動隊編成情報を的確に検索することで、出動データ作成作業を簡素化するとともに、作業指示等の関連業務の迅速化が可能な出動隊編成方法と出動隊編成システムの提案を目的とする。
【０００４】
【課題を解決するための手段】
公衆通信回線を経由して消防隊や救急隊の出動要請を受付け、該当出動隊を編成して出動指令を出すことを目的として、
複数の出動要請を送受信する電話手段と、受付データを入力すると共に出動操作入力を行う操作手段と、出動隊に出動指令を出す出動指令装置と、出動指令を表示する自動出動制御表示装置と、検索出力された地図データを表示する地図検索表示装置とを有する出動指令台と、
構内通信回線と、
出動指令台に設置もしくは接続され、地図検索ＤＢ手段に登録している出動地点の地図データを検索する地図検索装置と、地図上に行政区画や地番などのポリゴンデータを記憶しているポリゴンデータ記憶手段とポリゴン毎の火災や救急などに対応した出動車両や出動種別人員などの出動レベルを定義するポリゴン属性データを記憶しているポリゴン属性データ記憶手段とポリゴン属性データに基づいて出動車両や出動人員などの具体的な出動隊を編成する火災編成ＤＢや救急編成ＤＢなど出動隊編成データを記憶している出動隊編成ＤＢ手段とを有するＤＢＳと、電話番号、地番、目標物などの受付データに基づいて出動地点を抽出する出動地点抽出手段と抽出された出動地点を含むポリゴンデータ及びポリゴン属性データより対応する出動隊を編成する出動隊編成手段と該当出動隊に出動指令を出す出動指令手段とを有する出動隊編成装置と、外部通信回線を経由して署所端末装置や車載端末装置に出動隊の出動指令制御を行う出動指令制御装置と、自動出動制御表示装置及び地図検索表示装置などの表示データの表示管理を行う表示管理装置とで構成する出動隊編成システムを用いて、
公衆通信回線を経由した通報者からの出動隊の出動要請を受付け、事案の内容と発生場所などの受付データを操作手段より一次入力する段階と、地図検索装置が、一次入力された受付データに基づいて事案発生場所の周辺地図データを検索し地図検索表示装置に表示出力する段階と、出動隊編成装置の出動地点抽出手段が、表示出力された地図データと追加受付データを参照して、発生地点を特定すると共に発生事案および出動要請を確認する段階と、出動隊編成手段が、ＤＢＳのポリゴンデータ記憶手段より該当ポリゴンデータを検索出力し、地図検索表示装置に重畳表示すると共にポリゴン属性データを検索出力する段階と、選択されたポリゴン属性データに基づいて、ＤＢＳの出動隊編成ＤＢより該当出動ＤＢを読出し、仮の出動隊編成データを生成する段階と、出動指令手段が、選択された出動隊編成データに基づいて該当する出動隊の出動指令データを生成し、出動操作入力が成されると出動指令制御装置に該出動指令データを送出する段階とで構成する。
【０００５】
前記ポリゴンの種別を、住宅地、商業地、森林、原野、河川、山岳地帯、海岸などの用途別ポリゴンとする、土砂災害、地震災害などに対応した避難対象地域を示す避難対象ポリゴンとする、堤防決壊、集中豪雨、高潮などに伴う水害予測地域を示す水害予測ポリゴンとする、地震災害、土砂災害、大規模火災などに伴う被災予測地域を示す被災予測ポリゴンとする、もしくは、自治体が作成する防災計画に基づく防災地図の区画をポリゴンとする防災計画ポリゴンとする。
【０００６】
前記ポリゴン属性データを、地震災害、大規模火災、土砂災害など災害種別毎に、出動車両、出動隊などの構成を表す災害属性データとする、地震災害救難、火災救難、土砂災害救難、遭難救難など救難種別毎に対応した出動車両、出動隊などの構成を表す救難属性データとする、交通事故、爆発事故、火災事故など事故種別毎に対応した出動車両、出動隊などの構成を表す事故属性データとする、もしくは、強盗、人身拉致、騒乱など犯罪種別毎に対応した出動車両、出動隊などの構成を表す犯罪属性データとする。
【０００７】
前記出動地点抽出手段を、
通報者の携帯電話からのＧＰＳデータを受信して位置情報とし出動地点を抽出する、
登録地点からの徒歩による所要時間もしくは車の所要時間に基づく距離演算、または概算距離などの距離演算により出動地点を抽出する、
通報地点周辺の周辺地形データと方角データとの組合せ演算を行う地形演算により出動地点を抽出する、
もしくは、登録地点から方角データと地形データとの組合せ演算を行うＡＩ演算により出動地点を抽出する。
【０００８】
ポリゴン利用の出動隊編成システムを、
公衆通信回線を経由して消防隊や救急隊の出動要請を受付け、該当出動隊を編成して出動指令を出すことを目的として、
複数の出動要請を送受信する電話手段と、受付データを入力すると共に出動操作入力を行う操作手段と、出動隊に出動指令を出す出動指令装置と、該出動指令を選択表示する自動出動選択部並びに自動出動制御表示装置と、検索出力された地図データを表示する地図検索表示装置とを有する出動指令台と、
構内通信回線と、
以下、出動指令台に設置もしくは接続され、経緯度地図データを記憶している経緯度ＤＢと地形地図データを記憶している地形ＤＢと道路データを記憶している道路ＤＢと住宅地図データを記憶している住宅ＤＢと特定の登録点の地図データを記憶している登録点ＤＢとを有する地図検索ＤＢ手段より、出動地点の地図データを検索出力する地図検索装置と、
地図上に行政区画毎のポリゴンデータを記憶している行政区ポリゴンと地番毎のポリゴンデータを記憶している地番ポリゴンなどを有するポリゴンデータ記憶手段と、ポリゴン毎に火災出動に対応した出動車両や出動種別人員などの出動レベルを定義する火災属性データと同じく救急出動に対応した出動車両や出動種別人員などの出動レベルを定義する救急属性データとを有するポリゴン属性データ記憶手段と、火災属性データに基づいて具体的な車両や人員構成などの出動隊を編成する火災出動隊データを記憶している火災編成ＤＢと前記救急属性データに基づいて同じく救急出動隊データを記憶している救急編成ＤＢとを有する出動隊編成ＤＢ手段と、構内通信回線との通信接続制御を行う通信制御部と、ポリゴンデータ記憶手段、ポリゴン属性データ記憶手段および出動隊編成ＤＢ手段のＲ／Ｗ制御を行うＲ／Ｗ制御部から成るＤＢＳと、
電話番号に基づいて出動地点の地図データを抽出する電話番号読出部と地番や目標物などの受付データに基づいて出動地点の地図データを抽出する目標物抽出部とを有する出動地点抽出手段と、受付データに基づいて出動種別を選択する出動種別選択部と出動地点抽出手段が抽出した複数の出動地点の地図データより実出動地点を選択する出動先選択部と出動先選択部が選択した地図データと出動種別選択部が選択した出動種別データに基づいて該当するポリゴンデータをＤＢＳのポリゴンデータ記憶手段より選択出力するポリゴン選択部と選択出力されたポリゴンデータに対応したポリゴン属性データをポリゴン属性データ記憶手段より選択出力するポリゴン属性データ選択部と選択出力されたポリゴン属性データに基づいて出動隊編成ＤＢ手段より出動隊編成ＤＢを読出すと共に対応する出動隊編成データを抽出する編成データ抽出部とを有する出動隊編成手段と、抽出された出動隊編成データに基づいて該当する出動隊の出動指令を生成する出動指令生成部と出動地点の地図や出動指示書などの添付資料を生成する添付資料生成部と該出動指令に添付資料を添えた出動指令を送信する出動指令送信部とを有する出動隊編成装置と、
出動指令送信部が送信した出動指令を、外部通信回線を経由して署所に設置された署所端末装置や出動車両に設置された車載端末装置への指令制御を行う出動指令制御装置と、
自動出動制御表示装置及び地図検索表示装置などの表示データを管理する表示管理装置とで構成する。
【０００９】
前記ＤＢＳのポリゴンデータ記憶手段に、
住宅地、商業地、森林、原野、河川、山岳地帯、海岸などの用途別ポリゴンを追加設置する、
土砂災害、地震災害などに対応したい避難対象地域を示す避難対象ポリゴンを追加設置する、
堤防決壊、集中豪雨、高潮などに伴う水害予測地域を示す水害予測ポリゴンを追加設置する、
浸水、地震災害、土砂災害、大規模火災などに伴う被災予測地域を示す被災予測ポリゴンを追加設置する、
もしくは、自治体が作成する防災計画に基づく防災地図の区画をポリゴンとする防災計画ポリゴンを追加設置する。
【００１０】
前記ＤＢＳの出動隊編成ＤＢ手段に、
災害種別毎・該当地域別に災害出動編成に可能な車両や出動人員のＤＢを記憶する災害編成ＤＢを追加設置する、
救難種別毎・該当地域別に救難出動編成に可能な車両や出動人員のＤＢを記憶する救難編成ＤＢを追加設置する、
出動車両の署所毎の保有、出動ステータスなどの出動車両のＤＢを記憶する出動車両編成ＤＢを追加設置する、
出動隊の署所毎・資格毎の保有人員などのＤＢを記憶する出動隊編成ＤＢを追加設置する、
もしくは、出動隊員の勤怠管理データを管理記憶する勤怠管理ＤＢを追加設置する。
【００１１】
前記出動隊編成装置の出動隊編成手段に、前記受付データに基づく出動隊種別に加え、関連する出動隊種別の補正や追加が選択可能な関連種別選択部を追加設置する。
【００１２】
【発明の実施の形態】
図１に示す本発明によるポリゴン利用の出動隊編成システムの第一の実施例のシステム構成図を用いて、本願システムの構成を概略説明する。
第一の実施例のポリゴン利用の出動隊編成システムは、
複数の出動要請をＰＢＸ（構内交換機）Ｐなどを介して送受信する電話手段１５と、受付データを入力すると共に出動操作入力を行う操作手段１４と、出動隊に出動指令を出す出動指令装置１１と、出動指令を表示する自動出動制御表示装置１２と、検索出力された地図データを表示する地図検索表示装置１３とを有する出動指令台１と、
構内通信回線７と、
出動指令台１に設置もしくは接続され、地図検索ＤＢ手段２１に登録している出動地点の地図データを検索する地図検索装置２と、地図上に行政区画や地番などのポリゴンデータを記憶しているポリゴンデータ記憶手段３１とポリゴン毎の火災や救急などに対応した出動車両や出動種別人員などの出動レベルを定義するポリゴン属性データを記憶しているポリゴン属性データ記憶手段３２とポリゴン属性データに基づいて出動車両や出動人員などの具体的な出動隊を編成する火災編成ＤＢや救急編成ＤＢなど出動隊編成データを記憶している出動隊編成ＤＢ手段３３とを有するＤＢＳ３と、受付電話番号、地番、目標物などの受付データに基づいて出動地点を抽出する出動地点抽出手段５２と抽出された出動地点を含むポリゴンデータ及びポリゴン属性データより対応する出動隊を編成する出動隊編成手段５３と該当出動隊に出動指令を出す出動指令手段５４とを有する出動隊編成装置５と、外部通信回線Ｌを経由して署所端末装置８や車載端末装置９に出動隊の出動指令制御を行う出動指令制御装置４と、自動出動制御表示装置１２及び地図検索表示装置１３などの表示データの表示管理を行う表示管理装置６とで構成されている。
【００１３】
図４に示す本発明によるポリゴン利用の出動隊編成方法の一実施例の動作フロー図および図３に示す本発明によるポリゴンの地図表示図を加えて、本願によるポリゴン利用の出動隊編成方法を説明する。
本願によるポリゴン利用の出動隊編成方法は、
図１に示す第一の実施例のポリゴン利用の出動隊編成システムを用いて、
公衆通信回線ＮＥＴを経由した通報者からの出動隊の出動要請を受付け、事案内容と発生場所などの受付データを操作手段より一次入力する段階（ＳＴ１）と、地図検索装置２が、一次入力された受付データに基づいて事案発生場所の周辺地図データを検索し地図検索表示装置１３に表示出力する段階（ＳＴ２）と、出動隊編成装置５の出動地点抽出手段５２が、表示出力された地図データと追加受付データを参照して、発生地点を特定すると共に発生事案および出動要請を確認する段階（ＳＴ３）と、出動隊編成手段５３が、ＤＢＳ３のポリゴンデータ記憶手段３１より該当ポリゴンデータを検索出力し、地図検索表示装置１３に重畳表示すると共にポリゴン属性データを検索出力する段階（ＳＴ４）と、選択されたポリゴン属性データに基づいて、ＤＢＳ３の出動隊編成ＤＢ３３ｇより該当出動ＤＢを読出し、仮の出動隊編成データを生成する段階（ＳＴ５）と、出動指令手段５４が、選択された出動隊編成データに基づいて該当する出動隊の出動指令データを生成し、出動操作入力が成されると出動指令制御装置４に該出動指令データを送出する段階（ＳＴ６）とで構成されている。
【００１４】
前述のポリゴンの種別には、住宅地、商業地、森林、原野、河川、山岳地帯、海岸などの用途別ポリゴンと、土砂災害、地震災害などに対応した避難対象地域を示す避難対象ポリゴンと、堤防決壊、集中豪雨、高潮などに伴う水害予測地域を示す水害予測ポリゴンと、地震災害、土砂災害、大規模火災などに伴う被災予測地域を示す被災予測ポリゴンと、並びに、自治体が作成する防災計画に基づく防災地図の区画をポリゴンとする防災計画ポリゴンなどが追加定義されている。
【００１５】
図３は地図上に前述の用途別ポリゴンを重畳表示したもので、Ｐ１乃至Ｐ１８は個別のポリゴンを表し、Ｐ１、Ｐ２、Ｐ５、Ｐ１０、Ｐ１６などは林野を、Ｐ３は沼地を、Ｐ４、Ｐ８、Ｐ９などは公園緑地を、Ｐ１１、Ｐ１５、Ｐ１７などは住宅地を、Ｐ１２は学校用地を、Ｐ１８は道路用地をそれぞれ示している。各ポリゴンの頂点は地図の経緯度データにリンクされている。
【００１６】
ポリゴン属性データには、地震災害、大規模火災、土砂災害など災害種別毎に、出動車両、出動隊などの構成を表す災害属性データ、地震災害救難、火災救難、土砂災害救難、遭難救難など救難種別毎に対応した出動車両、出動隊などの構成を表す救難属性データ、交通事故、爆発事故、火災事故など事故種別毎に対応した出動車両、出動隊などの構成を表す事故属性データ、及び、強盗、人身拉致、騒乱など犯罪種別毎に対応した出動車両、出動隊などの構成を表す犯罪属性データなどが追加定義されている。
【００１７】
出動地点抽出手段５２には、通報者の携帯電話からのＧＰＳデータを受信して位置情報として出動地点を抽出方法、登録地点からの徒歩による所要時間もしくは車の所要時間に基づく距離演算、または概算距離などの距離演算により出動地点を抽出方法、通報地点周辺の周辺地形データと方角データとの組合せ演算を行う地形演算により出動地点を抽出する方法、および、登録地点から方角データと地形データとの組合せ演算を行うＡＩ演算により出動地点を抽出する方法などが追加定義されている。
【００１８】
図２に示す本発明によるポリゴン利用の出動隊編成システムの第二の実施例の要部ブロック図を用いて、本願システムの詳細構成を説明する。
第二の実施例のポリゴン利用の出動隊編成システムは、
公衆通信回線ＮＥＴを経由して消防隊や救急隊の出動要請を受付け、該当出動隊を編成して出動指令を出すことを目的として、
複数の出動要請をＰＢＸ  Ｐなどを介して送受信する電話手段１５と、受付データを入力すると共に出動操作入力を行う操作手段１４と、出動隊に出動指令を出す出動指令装置１１と、該出動指令を選択表示する自動出動選択部１２Ａ並びに自動出動制御表示装置１２と、地図検索データを選択表示する地図検索選択部１３Ａ並びに地図検索表示装置１３とを有する出動指令台１と、
構内通信回線７と、
以下、出動指令台１に設置もしくは接続され、経緯度地図データを記憶している経緯度ＤＢ２１ａと地形地図データを記憶している地形ＤＢ２１ｂと道路データを記憶している道路ＤＢ２１ｃと住宅地図データを記憶している住宅ＤＢ２１ｄと特定の登録点の地図データを記憶している登録点ＤＢ２１ｅとを有する地図検索ＤＢ手段２１より、出動地点の地図データを検索出力する地図検索装置２と、
地図上に行政区画毎のポリゴンデータを記憶している行政区ポリゴン３１ａと地番毎のポリゴンデータを記憶している地番ポリゴン３１ｃなどを有するポリゴンデータ記憶手段３１と、ポリゴン毎に火災出動に対応した出動車両や出動種別人員などの出動レベルを定義する火災属性データ３２ａと同じく救急出動に対応した出動車両や出動種別人員などの出動レベルを定義する救急属性データ３２ｂとを有するポリゴン属性データ記憶手段３２と、火災属性データ３２ａに基づいて具体的な車両や人員構成などの出動隊を編成する火災出動隊データを記憶している火災編成ＤＢ３３ａと救急属性データに基づいて同じく救急出動隊データを記憶している救急編成ＤＢ３３ｂとを有する出動隊編成ＤＢ手段３３と、構内通信回線７との通信接続制御を行う通信制御部３０と、ポリゴンデータ記憶手段３１、ポリゴン属性データ記憶手段３２および出動隊編成ＤＢ手段３３のＲ／Ｗ制御部３４から成るＤＢＳ３と、
電話番号に基づいて出動地点の地図データを抽出する電話番号読出部５２ａと地番や目標物などの受付データに基づいて出動地点の地図データを抽出する目標物抽出部５２ｂとを有する出動地点抽出手段５２と、受付データに基づいて出動種別を選択する出動種別選択部５３ａと出動地点抽出手段５２が抽出した複数の出動地点の地図データより出動地点を選択する出動先選択部５３ｄと出動先選択部５３ｄが選択した地図データと出動種別選択部５３ａが選択した出動種別データに基づいて該当するポリゴンデータをＤＢＳ３のポリゴンデータ記憶手段３１より選択出力するポリゴン選択部５３ｅと選択出力されたポリゴンデータに対応したポリゴン属性データをポリゴン属性データ記憶手段３２より選択出力するポリゴン属性データ選択部５３ｆと選択出力されたポリゴン属性データに基づいて出動隊編成ＤＢ手段３３より出動隊編成ＤＢ３３ｇを読出すと共に対応する出動隊編成データを抽出する編成データ抽出部５３ｃとを有する出動隊編成手段５３と、抽出された出動隊編成データに基づいて該当する出動隊の出動指令を生成する出動指令生成部５４ａと出動地点の地図や出動指示書などの添付資料を生成する添付資料生成部５４ｂと添付資料を添えた該出動指令を送信する出動指令送信部５４ｃとを有する出動隊編成装置５と、
出動指令送信部５４ｃが送信した出動指令を、外部通信回線Ｌを経由して署所に設置された署所端末装置８や出動車両に設置された車載端末装置９への指令制御を行う出動指令制御装置４と、
自動出動制御表示装置１２及び地図検索表示装置１３などの表示データの表示管理を行う表示管理装置６などで標準構成されている。
【００１９】
ＤＢＳ３のポリゴンデータ記憶手段３１には、住宅地、商業地、森林、原野、公園などの用途別ポリゴン３１ｂと、土砂災害、地震災害などに対応したい避難対象地域を示す避難対象ポリゴン３１ｅと、堤防決壊、集中豪雨、高波などに伴う水害予測地域を示す水害予測ポリゴン３１ｆと、浸水、地震災害、土砂災害、大規模火災などに伴う被災予測地域を示す被災予測ポリゴン３１ｇと、自治体が作成する防災計画に基づく防災地図の区画をポリゴンとする防災計画ポリゴン３１ｈなどが追加設置されている。
【００２０】
ＤＢＳ３の出動隊編成ＤＢ手段３３には、災害種別毎・該当地域別に災害出動編成に可能な車両や出動人員のＤＢを記憶する災害編成ＤＢ３３ｃと、救難種別毎・該当地域別に救難出動編成に可能な車両や出動人員のＤＢを記憶する救難編成ＤＢ３３ｄと、出動車両の署所毎の保有、出動ステータスなどの出動車両のＤＢを記憶する出動車両編成ＤＢ３３ｅと、出動隊の署所毎・資格毎の保有人員などのＤＢを記憶する出動隊編成ＤＢ３３ｇと、出動隊員の勤怠管理データを管理記憶する勤怠管理ＤＢ３３ｈなどが追加設置されている。
また、出動隊編成装置の出動隊編成手段に、受付データに基づく出動隊種別に加え、関連する出動隊種別の補正や追加が選択可能な関連種別選択部を追加設置されており、これにより自動編成された出動隊をさらに最適な出動隊に編成することが可能となっている。
【００２１】
［本願システムの前提条件］
実施例の出動隊編成システムでは、従来技術によるものと同様、複数の出動要請を公衆通信回線ＮＥＴ、ＰＢＸ  Ｐを経由して出動指令台１に付設された電話手段１５で担当者が受付ける。該担当者は、受付内容を操作手段１４より一次入力すると共に地図検索装置２を起動する。地図検索装置２は、一次入力された時案発生場所の受付データに基づいて、周辺の地図データを地図検索ＤＢ手段２１より読出し地図検索表示装置１３に表示出力する。該担当者は、表示された地図を見ながら出動場所の詳細確認と、事案（通報）および出動内容の確認を行い、出動隊を編成すると共に出動指令装置１１を用いて該当出動隊に出動指令を出す。一連の事案内容および出動指令動作は自動出動制御表示装置１２に表示出力される。
【００２２】
[出動地点の抽出]
実施例のシステムに於ける出動地点の抽出は、出動隊編成装置５の出動地点抽出手段５２の各種抽出方法を選択することにより行われる。
第一の出動地点抽出は、電話番号読出部５２ａが図示していない電話帳データを検索して住所を抽出し、地図検索ＤＢ手段２１の住宅ＤＢ２１ｄより該当データを検索出力する。
第二は、目標物抽出部５２ｂが受付データの目標物キーワードに基づいて、地図検索ＤＢ手段２１の登録点ＤＢ２１ｅより該当データを検索出力する。
【００２３】
第三は、ＧＰＳ受信部５２ｃが通報者のＧＰＳ受信機能付携帯電話などからのＧＰＳデータを受信した後、経緯度データを演算出力すると共に地図検索ＤＢ手段２１の経緯度ＤＢ２１ａより該当データを検索出力する。
第四は、距離演算部５２ｄが登録点からの距離演算結果により、地図検索ＤＢ手段２１の道路ＤＢ２１ｃより該当データを検索出力するものである。具体的には、Ａ地点よりＣ方向に向い徒歩３０分程、もしくは、車速３０ｋｍで約１０分程、約３ｋｍ程などのデータ入力に基づいて、「速度×時間＝距離」演算により、Ａ地点よりＬｋｍを算出する。
【００２４】
第五は、地形検索部５２ｅが周辺の地形に関する受付データに基づき、地図検索ＤＢ手段２１の地形ＤＢ２１ｂより該当データを検索出力するものである。具体的には、Ａ地点よりＣ進行して左手に畑、右手に森林等の地形データに基づき、地形ＤＢ２１ｂに記憶登録されている地形データより該当地点の大凡の経緯度データを抽出する。
【００２５】
第六は、ＡＩ演算部５２ｇが登録地点からの方角データと地形データに基づいてＡＩ演算して、登録点ＤＢ２１ｅおよび地形ＤＢ２１ｂより該当データを検索出力するものである。具体的には、Ａ地点よりＢ方角に向かい手前に川、その先の二つある山の交点付近の中腹部等の曖昧な地形データに基づいたＡＩ演算を行う。あるいは、Ｅ海岸の左手に入江、右手に船着場のある岩場などの曖昧な地形データに基づいてＡＩ演算を行い、登録点ＤＢ２１ｅおよび地形ＤＢ２１ｂより該当データを検索出力する。
【００２６】
［ポリゴンデータ］
ポリゴン（多角形）の頂点位置は地図の経緯度データで定義されてると共にポリゴン種別毎に固有番号が付与されると共にポリゴンの属性を表すポリゴン属性データのリンク情報が付加されて、ＤＢＳ３のポリゴンデータ記憶手段３１に記憶登録されている。具体的ポリゴンは、図３に示すように地図上に重畳表示され、さらに複数のポリゴンを重複表示する場合もある。又ポリゴンは、出動要請の事案（要請内容）および利用目的種別に作成されている。
【００２７】
行政区ポリゴンは、区群、市町村、字などの行政単位のポリゴンを表し、消防出動や災害避難出動などに対応する。
地番ポリゴンは、住所の町村、丁目・地番などを表し、主に出動地点抽出時に用いる。
用途別ポリゴンは、住宅地、商業地、森林、原野、河川、山岳地帯、海岸などの用途別ポリゴンデータを記憶しており、出動地点抽出や遭難救助などに対応する。
【００２８】
避難対象ポリゴンは、土砂災害、地震災害などに対応したい避難対象地域を示す避難対象ポリゴンデータを記憶しており、避難勧告、災害避難出動、広報出動などに対応する。
水害予測ポリゴンは、地下浸水、堤防決壊、集中豪雨、高潮などに伴う水害予測地域を示す水害予測ポリゴンデータを記憶しており、避難勧告や災害出動などに対応する。
被災予測ポリゴンは、地震災害、土砂災害、大規模火災などに伴う被災予測地域を示す被災予測ポリゴンデータを記憶しており、避難勧告、災害出動、広報出動などに対応する。
防災計画ポリゴンは、自治体が作成する防災計画に基づく防災地図の区画を示す防災計画ポリゴンデータを記憶しており、災害訓練や避難勧告などに対応する。
【００２９】
［ポリゴン属性データ］
前述のポリゴンデータにリンクされたポリゴン属性データは、出動事案（出動目的）の種別毎に、出動署所名、出動車両、出動隊員の資格別人数、機材など出動指令に必要となる属性データをポリゴン属性データ記憶手段３２に記憶登録され、前述のポリゴンデータの選択と出動種別の選択により該当するポリゴン属性データが読み出される。
実施例のポリゴン属性データ記憶手段３２に記憶登録されているポリゴン属性データの種別は、火災の消火、火災に伴う救出など火災出動の規模毎に出動車両、出動隊などの構成を表す火災属性データ３２ａ、病人や負傷者の搬送および救出に必要な出動車両、出動隊などの構成を表す救急属性データ３２ｂ、地震災害、大規模火災、土砂災害など災害種別毎に、出動車両、出動隊などの構成を表す災害属性データ３２ｃ、地震災害救難、火災救難、土砂災害救難、遭難救難など救難種別毎に対応した出動車両、出動隊などの構成を表す救難属性データ３２ｄ、交通事故、爆発事故、火災事故など事故種別毎に対応した出動車両、出動隊などの構成を表す事故属性データ３２ｅ、および、強盗、人身拉致、騒乱など犯罪種別毎に対応した出動車両、出動隊などの構成を表す犯罪属性データ３２ｆなどである。
【００３０】
［出動隊の編成］
出動隊編成装置５の出動種別選択部５３ａは、操作手段１４より入力された受付データに基づいて、出動種別の選択肢データを自動出動制御表示装置１２に表示出力し、担当者は通報者と通話確認を行い、自動出動選択部１２Ａで出動種別の選択操作を行う。
【００３１】
出動隊編成装置５の出動地点抽出手段５２は、一次入力された受付データに基づいて、地図検索装置２の地図検索ＤＢ手段２１より該当する地図データを検索出力して地図検索表示装置１３に出動地点にマーキングした地図を表示出力すると共に、前述の選択された出動種別にリンクしたポリゴンも重畳表示される。
担当者は通報者と通話確認を行い、地図検索選択部１３Ａを用いて選択確定操作を行い、出動先選択部５３ｄは出動先地図データを選択確定する。
【００３２】
ポリゴン選択部５３ｅは、前述の選択操作された出動種別と選択確定された出動先地図データに基づき、該当するポリゴンデータを選択出力し、ポリゴン属性データ選択部５３ｆは、該ポリゴンデータにリンクされたポリゴン属性データを選択出力する。
【００３３】
編成データ抽出部５３ｃは、選択出力された該当するポリゴン属性データにリンクした出動署所名、出動車両、出動隊員の資格別人数、機材などの出動隊編成に必要なデータを抽出すると共にＤＢＳ３の出動隊編成ＤＢ手段３３に記憶登録されている具体的車両番号、隊員名、機材名などの出動隊編成ＤＢ３３ｇを参照して実際出動する出動隊編成データを生成する。
【００３４】
［出動隊編成ＤＢ］
前述の出動隊編成ＤＢ手段３３には、火災出動時に該当地域別に火災出動編成に可能な車両や出動人員のＤＢを記憶する火災編成ＤＢ３３ａ、救急出動時に該当地域別に救急出動編成に可能な車両や出動人員のＤＢを記憶する救急編成ＤＢ３３ｂ、災害種別毎・該当地域別に災害出動編成に可能な車両や出動人員のＤＢを記憶する災害編成ＤＢ３３ｃ、救難種別毎・該当地域別に救難出動編成に可能な車両や出動人員のＤＢを記憶する救難編成ＤＢ３３ｄ、出動車両の署所毎の保有、出動ステータスなどの出動車両のＤＢを記憶する出動車両編成ＤＢ３３ｅ、出動隊の署所毎・資格毎の保有人員などのＤＢを記憶する出動隊編成ＤＢ３３ｇ、および、出動隊員の勤怠管理データを管理記憶する勤怠管理ＤＢ３３ｈなどが記憶登録されている。
【００３５】
［出動隊への出動指令］
出動隊編成装置５の出動指令生成部５４ａは、編成データ抽出部５３ｃが生成した出動隊編成データに基づいて、該当署所の出動隊への出動指令を生成すると共に添付資料生成部５４ｂは、出動先の地図データや出動指令書などの添付資料を生成する。
出動指令送信部５４ｃは、通信制御部５１ａおよび構内通信回線７を経由して、添付資料を添えた出動指令を出動指令制御装置４に送信する。該出動指令制御装置４は、無線回線を含む外部通信回線Ｌまたは公衆通信回線ＮＥＴを経由して、署所端末装置８や車載端末装置９に送信指令する。
【００３６】
【発明の効果】
本発明は以上に説明した内容で実施され、以下に述べる効果を奏する。
公衆通信回線を経由した通報者からの出動隊の出動要請を受付け、事案の内容と発生場所などの受付データを操作手段より一次入力する段階と、地図検索装置が、一次入力された受付データに基づいて事案発生場所の周辺地図データを検索し地図検索表示装置に表示出力する段階と、出動隊編成装置の出動地点抽出手段が、表示出力された地図データと追加受付データを参照して、発生地点を特定すると共に発生事案および出動要請を確認する段階と、出動隊編成手段が、ＤＢＳのポリゴンデータ記憶手段より該当ポリゴンデータを検索出力し、地図検索表示装置に重畳表示すると共にポリゴン属性データを検索出力する段階と、選択されたポリゴン属性データに基づいて、ＤＢＳの出動隊編成ＤＢより該当出動ＤＢを読出し、仮の出動隊編成データを生成する段階と、出動指令手段が、選択された出動隊編成データに基づいて該当する出動隊の出動指令データを生成し、出動操作入力が成されると出動指令制御装置に該出動指令データを送出する段階とで構成したので、住所のない地点でも地図上の出動地点を容易に抽出すると共に出動隊編成情報を的確に検索することができ、さらに出動データ作成作業を簡素化するとともに、作業指示等の関連業務の迅速化が可能なポリゴン利用の出動隊編成方法と出動隊編成システムの提案が出来た。
【図面の簡単な説明】
【図１】本発明によるポリゴン利用の出動隊編成システムの第一の実施例のシステム構成図である。
【図２】本発明によるポリゴン利用の出動隊編成システムの第二の実施例の要部ブロック図である。
【図３】本発明によるポリゴンの地図表示図である。
【図４】本発明によるポリゴン利用の出動隊編成方法の一実施例の動作フロー図である。
【符号の説明】
Ｌ  外部通信回線
ＮＥＴ  公衆通信回線
Ｐ  ＰＢＸ
１  出動指令台
２  地図検索装置
３  ＤＢＳ
４  出動指令制御装置
５  出動隊編成装置
６  表示管理装置
７  構内通信回線
８  署所端末装置
９  車載端末装置
１１  出動指令装置
１２  自動出動制御表示装置
１２Ａ  自動出動選択部
１３  地図検索表示装置
１３Ａ  地図検索選択部
１４  操作手段
１５  電話手段
２１  地図検索ＤＢ手段
２１ａ  経緯度ＤＢ
２１ｂ  地形ＤＢ
２１ｃ  道路ＤＢ
２１ｄ  住宅ＤＢ
２１ｅ  登録点ＤＢ
３０、５１ａ  通信制御部
３１  ポリゴンデータ記憶手段
３１ａ  行政区ポリゴン
３１ｂ  用途別ポリゴン
３１ｃ  地番ポリゴン
３１ｄ  地形別ポリゴン
３１ｅ  避難対象ポリゴン
３１ｆ  水害予測ポリゴン
３１ｇ  被災予測ポリゴン
３１ｈ  防災計画ポリゴン
３２  ポリゴン属性データ記憶手段
３２ａ  火災属性データ
３２ｂ  救急属性データ
３２ｃ  災害属性データ
３２ｄ  救難属性データ
３２ｅ  事故属性データ
３２ｆ  犯罪属性データ
３３  出動隊編成ＤＢ手段
３３ａ  火災編成ＤＢ
３３ｂ  救急編成ＤＢ
３３ｃ  災害編成ＤＢ
３３ｄ  救難編成ＤＢ
３３ｅ  出動車両編成ＤＢ
３３ｇ  出動隊編成ＤＢ
３３ｈ  勤怠管理ＤＢ
３４  Ｒ／Ｗ制御部
５２  出動地点抽出手段
５２ａ  電話番号読出部
５２ｂ  目標物抽出部
５２ｃ  ＧＰＳ受信部
５２ｄ  距離演算部
５２ｅ  地形検索部
５２ｇ  ＡＩ演算部
５３  出動隊編成手段
５３ａ  出動種別選択部
５３ｂ  関連種別選択部
５３ｃ  編成データ抽出部
５３ｄ  出動先選択部
５３ｅ  ポリゴン選択部
５３ｆ  ポリゴン属性データ選択部
５４  出動指令手段
５４ａ  出動指令生成部
５４ｂ  添付資料生成部
５４ｃ  出動指令送信部
【図１】
0004576757.tif 000002
【図２】
0004576757.tif 000003
【図３】
0004576757.tif 000004
【図４】
0004576757.tif 000005